(57)【要約】【課題】スマートフォンカバーを装着したままで、スマートフォンの充電を良好に行う。【解決手段】スマートフォン本体の底面１６、背面１２をそれぞれ充電器２０の底面支持部２７、背面支持部２４ａに当接させてスマートフォン１０を充電位置にセットすることにより、充電部材３１の出没部３１ａを第１押下位置Ｐ１に押し下げるとともに充電部材３１の充電端子３１ｂを第１突出位置Ｍ１に突出させてスマートフォン１０の端子１８に当接させて充電を行うスマートフォン用のスマートフォンカバー４０において、スマートフォン１０が充電位置にセットされた際に、出没部３１ａを第１押下位置Ｐ１よりもさらに下方の第２押下位置Ｐ２に押し下げて、充電端子３１ｂを第１突出位置Ｍ１よりもさらに突出量が多い第２突出位置Ｍ２に突出させる凸部４６ａを有する。【選択図】図４
2014023363.tif 000002
【特許請求の範囲】
【請求項１】
スマートフォン本体の底面、背面をそれぞれ充電器の底面支持部、背面支持部に当接させて前記スマートフォン本体を充電位置にセットすることにより、前記底面によって、前記底面支持部から突出していた充電部材の出没部を第１押下位置に押し下げるとともに前記背面支持部から退避していた前記充電部材の充電端子を前記第１突出位置に突出させて前記スマートフォン本体の端子に当接させて充電を行うスマートフォンに使用するスマートフォンカバーにおいて、
前記スマートフォン本体に装着されたカバー装着状態で、前記スマートフォン本体が前記充電位置にセットされた際に、前記出没部を前記第１押下位置よりもさらに下方の第２押下位置に押し下げて、前記充電端子を前記第１突出位置よりもさらに突出量が多い第２突出位置に突出させる突出量増加部を有する、
ことを特徴とするスマートフォンカバー。
【請求項２】
前記スマートフォン本体の底面、背面をそれぞれ覆う底面被覆部、背面被覆部を備え、
前記背面被覆部は、前記スマートフォン本体の前記端子に対応する部分に透孔を有し、
前記突出量増加部は、前記底面被覆部から突出させた凸部である、
ことを特徴とする請求項１に記載のスマートフォンカバー。
【請求項３】
前記底面支持部には、前記出没部が出入りする出没溝が形成されており、
前記凸部は、前記底面被覆部が前記充電器の前記底面支持部に当接された際に、前記出没溝に進入することで前記出没部を前記第２押下位置に押し下げる、
ことを特徴とする請求項２に記載のスマートフォンカバー。
【請求項４】
前記凸部の突出高さは、前記充電端子の前記第１突出位置と前記第２突出位置とにおける突出量の差が、前記背面被覆部の厚さに対応して設定されている、
ことを特徴とする請求項３に記載のスマートフォンカバー。
【請求項５】
前記凸部は、前記出没溝に進入することにより、前記充電器に対する充電時の前記スマートフォン本体の左右方向の位置決めを行う、
ことを特徴とする請求項３又は４に記載のスマートフォンカバー。
【請求項６】
前記凸部は、前記底面被覆部における左右方向の中央に配置されている、
ことを特徴とする請求項３ないし５のいずれか１項に記載のスマートフォンカバー。
【発明の詳細な説明】
【技術分野】
【０００１】
本発明は、スマートフォンに装着したままで、充電スタンドによる充電を可能とするスマートフォンカバーに関する。
【背景技術】
【０００２】
従来、スマートフォンのバッテリを充電するための充電器として、充電器にセットされたスマートフォンの背面側に、充電端子を挿入して充電を行うものが知られている（例えば、特許文献１参照）。
【０００３】
この種の充電器において、図５（Ａ），（Ｂ）に示すものは、スマートフォンＳＰに装着されたスマートフォンカバー６０を取り外さないで、スマートフォンＳＰのバッテリを充電することが可能である。
【０００４】
図５（Ａ），（Ｂ）に示す充電器５０は、ケース５１に凹部５２が形成されている。凹部５２には、バッテリの充電時に、スマートフォンカバー６０をしたままのスマートフォンＳＰの下側が挿入され、スマートフォンカバー６０の底面被覆部６２、背面被覆部６１がそれぞれ底面支持部５３、背面支持部５４に当接される。また、ケース５１には、充電端子５５が設けてある。充電端子５５は、ばね性を有する金属によって形成されていて、基端部５５ａが固定され、先端部５５ｂがストッパ５６によって位置規制されるとともに、中間の接点５５ｃを背面支持部５４から突出させている。つまり、接点５５ｃの背面支持部５４からの突出量は、ストッパ５６によって決定されている。
【０００５】
一方、この突出量は、スマートフォンカバー６０が装着されていない状態のスマートフォンＳＰのバッテリの端子Ｓ１に良好に当接するように設定されている。このため、スマートフォンカバー６０が装着されている場合には、その厚さに相当するだけスマートフォンＳＰが背面支持部５４から離れて位置することになる。つまり、充電端子５５（接点５５ｃ）の、背面支持部５４からの突出量が一定であるのに対して、背面支持部５４から端子Ｓ１までの距離は、スマートフォンカバーが薄い場合（図５（Ａ））には、ｘ１と短く、厚い場合（図５（Ｂ））には、ｘ２と長くなる。
【先行技術文献】
【特許文献】
【０００６】
【特許文献１】特開２０１２−１３０２２７号公報
【発明の概要】
【発明が解決しようとする課題】
【０００７】
上述のように、充電器５０は、本来、スマートフォンカバー６０を装着されない状態のスマートフォンＳＰを良好に充電できるように構成されている。このため、スマートフォンカバー６０を装着したままでスマートフォンＳＰの充電を行おうとすると、スマートフォンカバー６０の厚さが薄い場合には、良好な充電が行えるものの、厚さが厚くなると、充電器５０の充電端子５５とスマートフォンＳＰの端子Ｓ１との接触不良に起因して、良好な充電が行えなくなるおそれがある。
【０００８】
本発明は、上述した事情に鑑みてなされたものであり、厚さが厚くなった場合でも、スマートフォン本体に装着したままで、良好な充電を行うことができるスマートフォンカバーを提供することを目的とする。
【課題を解決するための手段】
【０００９】
請求項１に係る発明は、スマートフォン本体の底面、背面をそれぞれ充電器の底面支持部、背面支持部に当接させて前記スマートフォン本体を充電位置にセットすることにより、前記底面によって、前記底面支持部から突出していた充電部材の出没部を第１押下位置に押し下げるとともに前記背面支持部から退避していた前記充電部材の充電端子を前記第１突出位置に突出させて前記スマートフォン本体の端子に当接させて充電を行うスマートフォンに使用するスマートフォンカバーにおいて、前記スマートフォン本体に装着されたカバー装着状態で、前記スマートフォン本体が前記充電位置にセットされた際に、前記出没部を前記第１押下位置よりもさらに下方の第２押下位置に押し下げて、前記充電端子を前記第１突出位置よりもさらに突出量が多い第２突出位置に突出させる突出量増加部を有する、ことを特徴とする。
【００１０】
請求項２に係る発明は、請求項１に係るスマートフォンカバーにおいて、前記スマートフォン本体の底面、背面をそれぞれ覆う底面被覆部、背面被覆部を備え、前記背面被覆部は、前記スマートフォン本体の前記端子に対応する部分に透孔を有し、前記突出量増加部は、前記底面被覆部から突出させた凸部である、ことを特徴とする。
【００１１】
請求項３に係る発明は、請求項２に係るスマートフォンカバーにおいて、前記底面支持部には、前記出没部が出入りする出没溝が形成されており、前記凸部は、前記底面被覆部が前記充電器の前記底面支持部に当接された際に、前記出没溝に進入することで前記出没部を前記第２押下位置に押し下げる、ことを特徴とする。
【００１２】
請求項４に係る発明は、請求項３に係るスマートフォンカバーにおいて、前記凸部の突出高さは、前記充電端子の前記第１突出位置と前記第２突出位置とにおける突出量の差が、前記背面被覆部の厚さに対応して設定されている、ことを特徴とする。
【００１３】
請求項５に係る発明は、請求項３又は４に係るスマートフォンカバーにおいて、前記凸部は、前記出没溝に進入することにより、前記充電器に対する充電時の前記スマートフォン本体の左右方向の位置決めを行う、ことを特徴とする。
【００１４】
請求項６に係る発明は、請求項３ないし５のいずれか１項に係るスマートフォンカバーにおいて、前記凸部は、前記底面被覆部における左右方向の中央に配置されている、ことを特徴とする。
【発明の効果】
【００１５】
請求項１の発明によれば、スマートフォンカバーの突出量増加部によって、スマートフォン本体が充電位置にセットされた際に、出没部を第１押下位置よりもさらに下方の第２押下位置に押し下げて、充電端子を第１突出位置よりもさらに突出量が多い第２突出位置に突出させることができるので、スマートフォンカバーが装着された状態で、スマートフォンを充電する際にも、スマートフォン本体の端子に、充電器の充電端子を適正に当接させて、良好な充電を行うことができる。
【００１６】
請求項２の発明によれば、突出量増加部は、底面被覆部から突出させた凸部によって簡単に構成することができる。
【００１７】
請求項３の発明によれば、凸部を出没溝に進入させるといった簡単な構成で、出没部を第２押下位置に押し下げることができる。
【００１８】
請求項４の発明によれば、凸部により、第１突出量と第２突出量との突出量の差を、スマートフォンカバーの背面被覆部の厚さに対応した適宜なものとすることができる。
【００１９】
請求項５の発明によれば、凸部により、充電時のスマートフォン本体の左右方向の位置決めを行うことができる。
【００２０】
請求項６の発明によれば凸部がスマートフォンの左右方向の中央に配置されているので、左右方向にずれて配置されている場合と比較して、凸部による出没部の押下動作を確実に行うことができる。
【図面の簡単な説明】
【００２１】
【図１】スマートフォン１０の外観の概略を示す図であり、（Ａ）は正面図、（Ｂ）は右側面図、（Ｃ）は背面図である。
【図２】充電器２０を説明する図であり、（Ａ）は上面図、（Ｂ）は（Ａ）中のＸ−Ｘ線矢視図、（Ｃ）は（Ａ）中のＹ−Ｙ線矢視図である。
【図３】スマートフォンカバー４０の外観の概略を説明する図であり、（Ａ）は正面図、（Ｂ）は右側面図、（Ｃ）は上面図である。
【図４】充電器２０の動作を説明する図であり、（Ａ）はスマートフォン１０がセットされない状態の充電器２０、（Ｂ）は凸部４６ａのないスマートフォンカバー４０Ａが装着されたスマートフォン１０がセットされた状態、（Ｃ）は凸部を有するスマートフォンカバー４０が装着されたスマートフォン１０がセットされた状態を示している。
【図５】（Ａ），（Ｂ）従来の充電器５０おける充電端子５５の動作を説明する縦断面である。
【発明を実施するための形態】
【００２２】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２３】
図１〜図４を参照して本発明を適用した実施形態１に係るスマートフォンカバー４０について説明する。
【００２４】
図１は、スマートフォン１０の外観の概略を示す図であり、（Ａ）は正面図、（Ｂ）は右側面図、（Ｃ）は背面図である。
図１に示すように、スマートフォン（スマートフォン本体）１０は、厚さＴに対して幅Ｗが広く、また、幅Ｗに対して高さＨが長い、ほぼ縦長の長方形の板状に形成されている。
【００２５】
スマートフォン１０は、正面１１、背面１２、上面１３、左側面１４、右側面１５、底面１６を有している。
【００２６】
スマートフォン１０は、正面１１に液晶パネル１７を有し、背面１２における底面１６近傍には、左右方向の中央部に２個の端子１８，１８が左右に並んで設けられている。端子１８は、金属で形成されていて、スマートフォン本体に内蔵されたバッテリ（不図示）を後述する充電器２０によって充電する際に、充電器２０側の充電端子３１ｂが当接される。
【００２７】
図２は、充電器２０を説明する図であり、（Ａ）は上面図、（Ｂ）は（Ａ）中のＸ−Ｘ線矢視図、（Ｃ）は（Ａ）中のＹ−Ｙ線矢視図である。
【００２８】
図２に示すように、充電器２０は、左右方向に直交して左右方向の中心をとおる面Ｃを基準として、左右がほぼ対称に構成されている。
【００２９】
充電器２０は、ケース２１を有していて、このケース２１には、上面視におけるほぼ中央に、凹部２２が形成されている。この凹部２２は、ケース２１の前後左右の４つの壁部、すなわち前壁部２３、後壁部２４、左壁部２５、右壁部２６と、底面支持部（底部）２７とによって囲まれていて、ほぼ上方に向かって開口されている。
【００３０】
上述の凹部２２には、充電時のスマートフォン１０の高さＨのほぼ下から１／３の部分が挿入されて後述する所定の充電位置にセットされる。
【００３１】
前壁部２３には、左右方向の両端近傍にそれぞれ、セット時のスマートフォン１０の表面１１に当接して退避位置（２８）に退避しつつ、表面１１を後壁部２４に向けて付勢する前押圧部材２８，２８が配設されている。
【００３２】
後壁部２４は、セット時のスマートフォン１０の背面１２が当接される当接面となる背面支持部２４ａを有している。背面支持部２４ａは、上端側に対して下端側が前方に位置する急な傾斜面に形成されている。背面支持部２４ａにおける下端側の中央には、２個のスリット２４ｂ，２４ｂが左右に並んで形成されている。これらスリット２４ｂ、２４ｂは、上下方向に向けて、背面支持部２４ａをほぼ前後方向に貫通するように形成されている。スリット２４ｂ，２４ｂは、後述する充電部材３１の充電端子３１ｂが出入りする。
【００３３】
左壁部２５にはセット時のスマートフォン１０の左側面１４に当接して退避位置（２９）に退避しつつ、左側面１４を右壁部２６に向けて付勢する左押圧部材２９が配設されている。
【００３４】
右壁部２６にはセット時のスマートフォン１０の右側面１５に当接して退避位置（３０）に退避しつつ、右側面１５を左壁部２５に向けて付勢する右押圧部材３０が配設されている。
【００３５】
底面支持部２７は、充電時に充電器２０にセットされたスマートフォン１０の底面１６が当接される部分である。底面支持部２７は、左右方向に長く形成されていて、その左右方向の中央には出没溝２７ａが形成されている。出没溝２７ａは前後方向に長く形成されていて、後述する充電部材３１の出没部３１ａが出入りする。
【００３６】
図４は、充電器２０の動作を説明する図であり、（Ａ）はスマートフォン１０がセットされない状態の充電器２０、（Ｂ）は凸部４６ａのないスマートフォンカバー４０Ａが装着されたスマートフォン１０がセットされた状態、（Ｃ）は凸部４６ａを有するスマートフォンカバー４０が装着されたスマートフォン１０がセットされた状態を示している。
【００３７】
これらの図に示すように、充電器２０のケース２１の内側には、充電部材３１が配設されている。充電部材３１は、出没部３１ａと充電端子３１ｂとが一体に構成されたものであり、全体としてほぼ「Ｌ」字形に形成されている。出没部３１ａは、上述の底面支持部２７の出没溝２７ａから出入り可能な板状に形成されている。充電端子３１ｂは、上述のスマートフォン１０の端子１８，１８のそれぞれに接離可能な２つの金属部材によって形成されている。
【００３８】
充電部材３１は、ケース２１によって、軸３１ｃを基準に揺動自在に支持されている。充電部材３１は、引っ張りばね（付勢部材）３２によって矢印Ｒ方向に付勢され、ストッパ（不図示）によって、図４（Ａ）に示すホームポジションに配置される。この充電部材３１のホームポジションにおいては、出没部３１ａは、その一部を底面支持部２７よりも上方に突出させる突出位置Ｐ０に配置され、また、充電端子３１ｂは、背面支持部２４ａから退避した退避位置Ｍ０に配置されている。
【００３９】
充電部材３１は、図４（Ｂ）に示すように、凸部４６ａのないスマートフォンカバー４０Ａに対しては、出没部３１ａが第１押下位置Ｐ１に、また、充電端子３１ｂが第１突出位置Ｍ１に配置される。
【００４０】
さらに、充電部材３１は、図４（Ｃ）に示すように、凸部４６ａを有するスマートフォンカバー４０に対しては、出没部３１ａが第２押下位置Ｐ２に、また、充電端子３１ｂが第２突出位置Ｍ２に配置される。
【００４１】
なお、図４（Ａ）〜（Ｃ）については、後に詳述する。
図３は、スマートフォンカバー４０の外観の概略を説明する図であり、（Ａ）は正面図、（Ｂ）は右側面図、（Ｃ）は上面図である。
【００４２】
図３（Ｃ）に示すように、スマートフォンカバー４０は、スマートフォン１０の正面に対応する部分は開放されていて、スマートフォン１０の背面１２（図１参照）、左側面１４、右側面１５をそれぞれ覆う背面被覆部４２、左側面被覆部４４、右側面被覆部４５を有している。さらに、スマートフォンカバー４０は、スマートフォン１０の底面１６におけるほぼ後側半分を覆う底面被覆部４６を有している。
【００４３】
背面被覆部４２は、下端側の中央における、スマートフォン１０の背面１２の２個の端子１８，１８に対応する位置に透孔４８が形成されている。これにより、充電時に、充電器２０の充電端子３１ｂ，３１ｂは、この透孔４８を介して、端子１８，１８に当接することができる。
【００４４】
底面被覆部４６の左右方向のほぼ中央には、底面被覆部４６の前後方向の寸法とほぼ同じ長さの凸部４６ａが斜め後方に向けて突設されている。この凸部４６ａの左右方向の幅Ａは、上述の充電器２０の底面支持部２７の出没溝２７ａの左右方向の幅よりも小さく設定されている。このため、凸部４６ａは、出没溝２７ａに対し、上方から進入することができる。
【００４５】
また、凸部４６ａの底面被覆部４６からの突出高さＢは、充電時のスマートフォン１０に装着されたスマートフォンカバー４０の背面被覆部４２の厚さ、さらに詳しくは、背面被覆部４２における、背面支持部２４ａに当接する部分の厚さに対応して設定されている。つまり、充電端子３１ｂの、第２突出位置Ｍ２における突出量と、第１突出位置Ｍ２における突出量との差が、背面支持部２４ａの厚さとほぼ同じになるように設定されている。
【００４６】
以上説明した、スマートフォンカバー４０の作用・効果について、図４を参照して説明する。
【００４７】
充電器２０は、一般に、スマートフォンカバーが装着されない状態のスマートフォン１０が、所定の充電位置に正しくセットされた場合に、良好な充電が行えるように構成されている。
【００４８】
ここで、所定の充電位置とは、充電器２０の凹部２２に、スマートフォン１０の下部が上方から挿入されて、底面１６が底面支持部２７に当接し、また、背面１２が図２に示す前押圧部材２８により背面支持部２４ａに当接し、さらに、左押圧部材２９及び右押圧部材３０により、スマートフォン１０が凹部２２の左右方向の中央に配置された状態をいう。
【００４９】
まず、充電器２０は、スマートフォン１０がセットされない状態では、図４（Ａ）に示すように、帯電部材３１の出没部３１ａが突出位置Ｐ０に配置され、充電端子３１ｂが退避位置Ｍ０に配置される。
【００５０】
次に、図４（Ｂ）は、凸部４６ａのないスマートフォンカバー４０Ａが装着されたスマートフォン１０が、凹部２２に上方から挿入されて所定の充電位置に配置された状態を示している。このとき、充電部材３１の出没部３１ａは、スマートフォンカバー４０Ａの底面被覆部４６によって第１押下位置Ｐ１に押下される。この第１押下位置Ｐ１は、左右方向に長い底面被覆部４６によって、出没部３１ａの上端の高さ位置が、底面支持部２７とほぼ同じ高さ、いわゆる面一となった位置である。
【００５１】
この出没部３１ａの第１押下位置Ｐ１に対応して、充電端子３１ｂは、第１突出位置Ｍ１に配置される。第１突出位置Ｍは、充電端子３１ｂの、背面支持部２４ａからの突出量が、スマートフォンカバーが装着されていないスマートフォン１０の端子１８に対して良好に当接する量である。したがって、スマートフォンカバー４０Ａの背面被覆部４２の厚さが薄い場合には、良好な当接を確保することができるものの、背面被覆部４２の厚さが厚い場合には、接触不良を起こして、充電不良が発生する。
【００５２】
そこで、本実施形態では、上述のようにスマートフォンカバー４０の底面被覆部４６に凸部４６ａを設けた。
【００５３】
このスマートフォンカバー４０を所定の充電位置に配置すると、図４（Ｃ）に示すように、凸部４６ａが出没溝２７ａに上方から進入した状態で、底面被覆部４６が底面支持部２７に当接する。これにより、出没部３１ａは、上述の第１押下位置Ｐ１よりもさらに下方の第２押下位置Ｐ２に押し下げられる。これに対応して、充電端子３１ｂは、上述の第１突出位置Ｍ１よりもさらに突出量を増加させた第２突出位置Ｍ２に突出される。
【００５４】
このため、例えば、第１突出位置Ｍ１から第２突出位置Ｍ２までの突出量の増加分が、背面被覆部４２の厚さとほぼ同じになるように、凸部４６ａの突出高さＢ（図３参照）を設定しておけば、必要十分な突出量の増加を確保することができる。
【００５５】
これにより、スマートフォンカバー４０の背面被覆部４２の厚さが比較的、厚い場合であっても、スマートフォンカバー４０の底面被覆部４６に凸部４６を突設させるといった簡単な構成で、充電器２０の充電端子３１ａを、スマートフォン１０の端子１８に良好に当接させて良好な充電を行うことができる。
【００５６】
本実施形態によれば、背面被覆部４２の厚さが異なるスマートフォンカバー４０に対して、凸部４６ａの突出高さＢを変更することで容易に対処することができる。
【００５７】
さらに、一般に、充電器の充電位置にセットしたスマートフォンの端子を、充電器の充電端子に良好に当接させるために、セット後のスマートフォンを左右に動かす場合があるが、上述のスマートフォンカバー４０は、充電器２０の底面支持部２７の出没溝２７ａに凸部４６ａを侵入させるので、このことが充電器２０に対する充電時のスマートフォン１０の左右方向の位置決めをすることになる。このため、従来とは異なり、セット後に、スマートフォン１０を左右に動かすことなく、比較的容易に良好な充電が可能な位置にセットすることができる。
【００５８】
以上の実施形態では、突出量増加部としての凸部４６ａが前後方向に長い場合を説明したが、凸部はこれに限定されるものではなく、出没部３１ａを有効に第２押下位置Ｐ２に押し下げることができるものであれば、他の任意の形状のものを採用することができる。円柱状、柱状、半球状、円錐台状、角錐台状等であってもよい。
【００５９】
また、以上の実施形態では、凸部４６ａが底面被覆部４６の左右方向の中央に突設されている場合について説明したが、この位置については、中央に限定されるものではなく、スマートフォン１０の端子１８の位置に合わせて位置を決めればよい。
【符号の説明】
【００６０】
１０  スマートフォン（スマートフォン本体）
１２  背面
１６  底面
１８  端子
２０  充電器
２４ａ  背面支持部
２７  底面支持部
２７ａ  出没溝
３１  充電部材
３１ａ  出没部
３１ｂ  充電端子
４０  スマートフォンカバー
４６  底面被覆部
４６ａ  凸部（突出量増加部）
４８  透孔
Ｂ  凸部の突出高さ
Ｍ１  第１突出位置
Ｍ２  第２突出位置
Ｐ１  第１押下位置
Ｐ２  第２押下位置
【図１】
2014023363.tif 000003
【図２】
2014023363.tif 000004
【図３】
2014023363.tif 000005
【図４】
2014023363.tif 000006
【図５】
2014023363.tif 000007